(57)【特許請求の範囲】
【請求項１】
駆動用の交流電圧を発生させる駆動回路と、二次巻線の低圧側端子がそれぞれ接地電位側に接続され、前記駆動回路が発生させた交流電圧を互いに逆位相に昇圧する正相変圧器及び逆相変圧器とを備え、前記正相変圧器及び前記逆相変圧器の各二次巻線の各高圧側端子間に前記放電灯を接続して点灯させ、前記放電灯に流れる電流を検出し、検出した電流に基づき、前記駆動回路が前記放電灯に流す電流を一定に制御するように構成してある放電灯点灯装置において、
前記正相変圧器及び前記逆相変圧器の二次巻線の低圧側端子それぞれに各一方の端子が接続された第１抵抗及び第２抵抗と、接地電位側に一方の端子が接続された第３抵抗と、差動増幅器とを備え、前記第１抵抗、前記第２抵抗及び前記第３抵抗の各他方の端子が接続され、前記第１抵抗及び前記第２抵抗の各一方の端子間の電圧が前記差動増幅器に与えられ、
前記第３抵抗と前記差動増幅器が前記放電灯と接地との間に発生する浮遊容量に起因する電流を打ち消して、前記放電灯に流れる電流のみが検出されるようにしたことを特徴とする放電灯点灯装置。
【発明の詳細な説明】
【技術分野】
【０００１】
本発明は、駆動回路が発生させた高周波電圧を互いに逆位相に昇圧する正相変圧器及び逆相変圧器を備え、正相変圧器及び逆相変圧器の各二次巻線の各高圧側端子間に放電灯を接続して点灯させ、放電灯に流れる電流を検出し、検出した電流に基づき、駆動回路が放電灯に流す電流を一定に制御する放電灯点灯装置に関するものである。
【背景技術】
【０００２】
放電灯には、冷陰極管及び熱陰極管等が有り、特に冷陰極管は、近時、液晶表示装置のバックライトに採用され、そのサイズに応じて様々な使用方法が実用化されている。
図１６は、従来の放電灯点灯装置の一例である他励式冷陰極管点灯装置の構成例を示すブロック図である。尚、以下の説明においては、他励二次共振式のインバータを例示しているが、自励式であっても良い。
この冷陰極管点灯装置は、インバータを含む駆動制御回路１０が、３０ｋ〜８０ｋＨｚ程度の高周波電圧を発生させ、正相高圧トランス（正相変圧器）ＴＸ３及び逆相高圧トランス（逆相変圧器）ＴＸ４が、駆動制御回路１０が発生させた高周波電圧を互いに逆位相に昇圧する。
【０００３】
正相高圧トランスＴＸ３の二次巻線の低圧側端子は、抵抗Ｒ６５を通じて接地され、逆相高圧トランスＴＸ４の二次巻線の低圧側端子は接地されており、両トランスＴＸ３，ＴＸ４の各二次巻線には、コンデンサＣ２，Ｃ３がそれぞれ並列接続されている。
冷陰極管１は、両トランスＴＸ３，ＴＸ４の各二次巻線の各高圧側端子に接続され、両トランスＴＸ３，ＴＸ４がそれぞれ昇圧した高周波電圧が逆位相に印加されて点灯する。
【０００４】
整流回路３１が、抵抗Ｒ６５の両端電圧（正相高圧トランスＴＸ３の二次巻線の低圧側端子電圧）を整流して、冷陰極管１に流れる電流値として検出し、その電流値を駆動制御回路１０にフィードバックさせる。駆動制御回路１０は、与えられた電流値に基づき、冷陰極管１に流す電流が所定値になるようにフィードバック制御する。
【０００５】
図１７は、図１６に示す冷陰極管点灯装置の冷陰極管１を抵抗及び容量（コンデンサ）で例示した等価回路を示す回路図である。但し、ここでは、冷陰極管１は液晶表示装置で多用されるＵ字管であり、上述したブロック図から整流回路３１を省略してある。
正相高圧トランスＴＸ３及び逆相高圧トランスＴＸ４は、駆動制御回路１０からの高周波電源を互いに逆位相で昇圧しており、管電流は、正相高圧トランスＴＸ３の二次巻線から抵抗Ｒ１〜Ｒ１４を通じて、逆相高圧トランスＴＸ４の二次巻線を経由して接地側に流れ、抵抗Ｒ６５を通じてトランスＴＸ３に戻る。コンデンサＣ１０，Ｃ１１，Ｃ１２，・・・Ｃ２２は、冷陰極管１及びその支持構造物（図示せず）間の浮遊容量を模式的に示したものであり、抵抗Ｒ１−Ｒ２，Ｒ２−Ｒ３，Ｒ３−Ｒ４，・・・Ｒ１３−Ｒ１４の各接続節点と接地端子との間にそれぞれ接続されている。
【０００６】
この状態では、正相高圧トランスＴＸ３及び逆相高圧トランスＴＸ４の出力電圧は等しく、コンデンサＣ２，Ｃ３に流れる電流も等しい。また、Ｕ字管を構成する一方の直管部の抵抗に相当する抵抗Ｒ１〜Ｒ７の各降圧分と、他方の直管部の抵抗に相当する抵抗Ｒ１４〜Ｒ８の各降圧分も等しい。故に、一方の直管部の浮遊容量に相当するコンデンサＣ１０〜Ｃ１５に流れる電流と、他方の直管部の浮遊容量に相当するコンデンサＣ２２〜Ｃ１７に流れる電流は等しい。
従って、正相高圧トランスＴＸ３につながる全ての抵抗及びコンデンサに流れる電流、逆相高圧トランスＴＸ４につながる全ての抵抗及びコンデンサに流れる電流、並びに抵抗Ｒ６５に流れる電流は、全て平衡状態になっている。
【０００７】
図１８は、図１７の等価回路における抵抗Ｒ６５に流れる電流の波形を示す波形図であり、実線Ａは、上述した平衡状態の場合の電流波形であり、１点鎖線Ｂは、意図的にコンデンサＣ２２，Ｃ２１，Ｃ２０（浮遊容量の一部）を存在しないものとして、平衡状態を崩した場合の抵抗Ｒ６５に流れる電流波形である。
このように浮遊容量の一部を存在しないものとした場合の変化により、抵抗Ｒ６５に流れる電流が、浮遊容量の影響を受けていることが分かる。従って、図１６に示す従来の回路は、浮遊容量の影響を受けると、管電流を検出する為の抵抗Ｒ６５に流れる電流が変動することから、駆動制御回路１０は、冷陰極管１に対して安定したフィードバック制御ができなくなる。
【０００８】
特許文献１には、第一発振トランス及び第二発振トランスの各二次巻線の一方の端子に冷陰極管の両電極を接続し、各二次巻線の一方の端子から互いに逆位相の発振電圧を印加し、第二発振トランスの二次巻線の他方の端子が、管電流検出用抵抗を介して接地されている冷陰極管点灯装置が開示されている。この場合、管電流は、第二発振トランスの２次巻線の接地側から測定される。
特許文献２には、圧電トランスの出力を冷陰極放電灯の両端電極に接続し、圧電トランス及び冷陰極放電灯間のライン上にカレントトランスを設けて管電流を検出し、検出された管電流は管電流検出処理部の入力端の差動増幅器に入力される圧電トランス駆動回路が開示されている。この場合、管電流は、圧電トランスの高電圧下において測定される。
【０００９】
特許文献３には、２個のトランスが２個のランプに対応するように、駆動部と２個のランプとの間に接続され、駆動部からの駆動信号がトランスを通してランプに供給され、２個のトランスの２次側が互いに接続された液晶表示装置のバックライト駆動装置が開示されている。２個のランプは抵抗を通じて直列接続されており、その抵抗の両端電圧を整流した電圧により、２個のランプの管電流を検出してフィードバック制御している。この場合、管電流は、トランスの２次巻線の高圧側で測定されている。
【００１０】
特許文献４には、２つの出力電極から互いに逆位相の交流電圧を出力する１入力２出力型の圧電トランスと、２つの出力電極間に直列接続された２つの冷陰極管の間に挿入された電流検出素子と、電流検出素子の両端電圧が入力される差動増幅器とを備える冷陰極管の点灯駆動装置が開示されている。差動増幅器の出力に基づき、冷陰極管に通流する電流が一定になるように、圧電トランスの駆動周波数を制御する。この場合、管電流は、圧電トランスの高電圧下で測定される。
【００１１】
特許文献５には、逆位相駆動される放電灯の管電流を、正相高圧トランス及び逆相高圧トランスの各二次巻線の各低圧側端子及び接地端子間に接続された各抵抗の両端電圧の何れか高い方により検出し、放電灯の目標輝度に対応した電流値となるようデジタルフィルタを用いてフィードバック制御し、放電灯をバースト調光で点灯する放電灯駆動装置が開示されている。この場合、管電流は、正相高圧トランス及び逆相高圧トランスの各２次巻線の接地側から測定される。
【００１２】
特許文献６には、インバータから出力される駆動パルスを、正相高圧トランス及び逆相高圧トランスにより昇圧し、各二次巻線の各冷陰極管の管電流を均一化する為の各バラスト素子を介して互いに逆相に複数の冷陰極管の各両側の入力端に印加して点灯させる冷陰極管点灯装置が開示されている。検出したバラスト素子に流れる各電流を加算し、その加算値に基づき管電流を求め、管電流が一定になるように、インバータの駆動パルスのデューティを設定する。この場合、管電流は、正相高圧トランス及び逆相高圧トランスの各２次巻線の高圧側で測定される。
【特許文献１】実開平０６−１９２９９号公報
【特許文献２】特開２００３−２４９３９３号公報
【特許文献３】特開２００４−５４２９４号公報
【特許文献４】特開２００４−２４１２６６号公報
【特許文献５】特開２００６−２９４３２８号公報
【特許文献６】特開２００７−５９１５５号公報
【発明の開示】
【発明が解決しようとする課題】
【００１３】
逆位相点灯する冷陰極管点灯装置では、管電流を検出する方法として、高圧トランスの２次巻線の高圧側か接地側から測定する方法が考えられ、上述した特許文献では、特許文献３，６に記載されたものが、２次巻線の高圧側から測定し、特許文献１，５に記載されたものが、２次巻線の接地側から測定している。２次巻線の高圧側から測定するには、絶縁トランスを介さなければならず、部品コストが上昇する。また、検出することができても、冷陰極管及びその支持構造物間に生じる浮遊容量の影響を排除することができず、管電流を正確に検出できないので、フィードバックにより管電流を一定に制御できないという問題がある。
【００１４】
特許文献２，４に記載されたものは、圧電トランスを使用して、本願発明のような巻線は使用していないが、管電流は、圧電トランスの高電圧下で測定されており、高耐圧性能及び漏れ電流対策が必要であるので実用的でなく、浮遊容量成分による電流を分ける手段がないので、正しい管電流は測定できない。また、前述したように（図１６）、高圧トランスの２次巻線の接地側に電流検出用の抵抗Ｒ６５を設けても、冷陰極管及び支持構造物間の浮遊容量の影響は排除できていない。
【００１５】
また、液晶表示装置で多用されるＵ字管型の冷陰極管の管電流測定では、トランスの２次電流を測定する以外に方法はなく、現在、実測されている管電流の測定値は、冷陰極管及び支持構造物間の浮遊容量の影響を受ける為に正確ではなく、フィードバックにより管電流を一定に制御できないという問題がある。この問題は、直管型の冷陰極管の管電流測定においても同様である。また、上記特許文献１〜６に開示されたものにおいても、冷陰極管及び支持構造物間の浮遊容量の影響は、排除されていないか、又は全く考慮されていない。
【００１６】
本発明は、上述したような事情に鑑みてなされたものであり、第１，２発明では、放電灯及びその支持構造物間の浮遊容量の影響を受け難く、管電流を正確に検出できる放電灯点灯装置を提供することを目的とする。
第３，４発明では、複数の放電灯を備え、放電灯及びその支持構造物間の浮遊容量の影響を受け難く、管電流を正確に検出できる放電灯点灯装置を提供することを目的とする。
【課題を解決するための手段】
【００１７】
第１発明に係る放電灯点灯装置は、駆動用の交流電圧を発生させる駆動回路と、二次巻線の低圧側端子がそれぞれ接地電位側に接続され、前記駆動回路が発生させた交流電圧を互いに逆位相に昇圧する正相変圧器及び逆相変圧器とを備え、前記正相変圧器及び前記逆相変圧器の各二次巻線の各高圧側端子間に前記放電灯を接続して点灯させ、前記放電灯に流れる電流を検出し、検出した電流に基づき、前記駆動回路が前記放電灯に流す電流を一定に制御するように構成してある放電灯点灯装置において、
前記正相変圧器及び前記逆相変圧器の二次巻線の低圧側端子それぞれに各一方の端子が接続された第１抵抗及び第２抵抗と、接地電位側に一方の端子が接続された第３抵抗と、差動増幅器とを備え、前記第１抵抗、前記第２抵抗及び前記第３抵抗の各他方の端子が接続され、前記第１抵抗及び前記第２抵抗の各一方の端子間の電圧が前記差動増幅器に与えられ、
前記第３抵抗と前記差動増幅器が前記放電灯と接地との間に発生する浮遊容量に起因する電流を打ち消して、前記放電灯に流れる電流のみが検出されるようにしたことを特徴とする。
【００１８】
この放電灯点灯装置では、二次巻線の低圧側端子がそれぞれ接地電位側に接続された正相変圧器及び逆相変圧器が、駆動回路が発生させた交流電圧を互いに逆位相に昇圧する。正相変圧器及び逆相変圧器の各二次巻線の各高圧側端子間に放電灯を接続して点灯させ、放電灯に流れる電流を検出し、検出した電流に基づき、駆動回路が放電灯に流す電流を一定に制御する。
正相変圧器及び逆相変圧器の二次巻線の低圧側端子それぞれに、第１抵抗及び第２抵抗の各一方の端子が接続され、第３抵抗の一方の端子が接地電位側に接続されている。第１抵抗、第２抵抗及び第３抵抗の各他方の端子が接続され、第１抵抗及び第２抵抗の各一方の端子間の電圧が差動増幅器に与えられる。
そして、第３抵抗と差動増幅器が放電灯と接地との間に発生する浮遊容量に起因する電流を打ち消して、放電灯に流れる電流のみが検出される。
【００１９】
第２発明に係る放電灯点灯装置は、駆動用の交流電圧を発生させる駆動回路と、二次巻線の低圧側端子がそれぞれ接地電位側に接続され、前記駆動回路が発生させた交流電圧を互いに逆位相に昇圧する正相変圧器及び逆相変圧器とを備え、該正相変圧器及び逆相変圧器の各二次巻線の各高圧側端子間に放電灯を接続して点灯させ、該放電灯に流れる電流を検出し、検出した電流に基づき、前記駆動回路が放電灯に流す電流を一定に制御するように構成してある放電灯点灯装置において、前記正相変圧器及び逆相変圧器の各二次巻線の低圧側端子間に接続され、中点が前記接地電位側に接続された一次巻線と、一方の端子が前記接地電位側に接続された二次巻線とを有する変圧器を備え、該変圧器の二次巻線に流れる電流に基づき前記放電灯に流れる電流を検出するように構成してあることを特徴とする。
【００２０】
この放電灯点灯装置では、二次巻線の低圧側端子がそれぞれ接地電位側に接続された正相変圧器及び逆相変圧器が、駆動回路が発生させた交流電圧を互いに逆位相に昇圧する。正相変圧器及び逆相変圧器の各二次巻線の各高圧側端子間に放電灯を接続して点灯させ、放電灯に流れる電流を検出し、検出した電流に基づき、駆動回路が放電灯に流す電流を一定に制御する。
変圧器は、一次巻線が、正相変圧器及び逆相変圧器の各二次巻線の低圧側端子間に接続されている。変圧器の一次巻線の中点は接地電位側に接続され、二次巻線の一方の端子が接地電位側に接続されている。変圧器の二次巻線に流れる電流に基づき放電灯に流れる電流を検出する。
【００２１】
第３発明に係る放電灯点灯装置は、駆動用の交流電圧を発生させる１又は複数の駆動回路と、二次巻線の低圧側端子がそれぞれ接地電位側に接続され、前記駆動回路が発生させた交流電圧を互いに逆位相に昇圧する複数の放電灯毎の正相変圧器及び逆相変圧器とを備え、該正相変圧器及び逆相変圧器の各二次巻線の各高圧側端子間に前記放電灯を接続して点灯させ、該放電灯に流れる電流を検出し、検出した電流に基づき、前記駆動回路が放電灯に流す電流を一定に制御するように構成してある放電灯点灯装置において、一の放電灯の前記正相変圧器及び他の放電灯の前記逆相変圧器の二次巻線の各低圧側端子間に直列接続された第１抵抗及び第２抵抗と、該第１抵抗及び第２抵抗の接続節点並びに前記接地電位側間に接続された第３抵抗とを前記複数の放電灯毎に備え、前記第１抵抗及び第２抵抗の直列回路の何れか１つの両端電圧が与えられる差動増幅器を備え、該差動増幅器の出力に基づき放電灯の電流を検出し、前記１又は複数の駆動回路に与えるように構成してあることを特徴とする。
【００２２】
この放電灯点灯装置では、１又は複数の駆動回路が、駆動用の交流電圧を発生させ、複数の放電灯毎の正相変圧器及び逆相変圧器は、二次巻線の低圧側端子がそれぞれ接地電位側に接続され、駆動回路が発生させた交流電圧を互いに逆位相に昇圧する。正相変圧器及び逆相変圧器の各二次巻線の各高圧側端子間に放電灯を接続して点灯させ、放電灯に流れる電流を検出し、検出した電流に基づき、駆動回路が放電灯に流す電流を一定に制御する。
一の放電灯の正相変圧器及び他の放電灯の逆相変圧器の二次巻線の各低圧側端子間に、第１抵抗及び第２抵抗が直列接続され、第３抵抗が、第１抵抗及び第２抵抗の接続節点並びに接地電位側間に接続されている。差動増幅器は、第１抵抗及び第２抵抗の直列回路の何れか１つの両端電圧が与えられ、差動増幅器の出力に基づき放電灯の電流を検出し、１又は複数の駆動回路に与える。
【００２３】
第４発明に係る放電灯点灯装置は、駆動用の交流電圧を発生させる１又は複数の駆動回路と、二次巻線の低圧側端子がそれぞれ接地電位側に接続され、前記駆動回路が発生させた交流電圧を互いに逆位相に昇圧する複数の放電灯毎の正相変圧器及び逆相変圧器とを備え、該正相変圧器及び逆相変圧器の各二次巻線の各高圧側端子間に前記放電灯を接続して点灯させ、該放電灯に流れる電流を検出し、検出した電流に基づき、前記駆動回路が放電灯に流す電流を一定に制御するように構成してある放電灯点灯装置において、前記放電灯の任意の１対における一方の放電灯の前記正相変圧器及び他方の放電灯の逆相変圧器の各二次巻線の低圧側端子間に両端子が接続され、中点が前記接地電位側に接続された一次巻線と、一方の端子が前記接地電位側に接続された二次巻線とを有する変圧器を備え、前記放電灯の他の１又は複数の対における一方の放電灯の逆相変圧器の二次巻線の低圧側端子に一方の端子が接続された第１抵抗と、他方の放電灯の正相変圧器の二次巻線の低圧側端子に一方の端子が接続された第２抵抗と、前記接地電位側に一方の端子が接続された第３抵抗とを備え、前記第１抵抗、第２抵抗及び第３抵抗の各他方の端子が接続され、前記変圧器の二次巻線に流れる電流に基づき、放電灯に流れる電流を検出し、前記１又は複数の駆動回路に与えるように構成してあることを特徴とする。
【００２４】
この放電灯点灯装置では、１又は複数の駆動回路が、駆動用の交流電圧を発生させ、複数の放電灯毎の正相変圧器及び逆相変圧器は、二次巻線の低圧側端子がそれぞれ接地電位側に接続され、駆動回路が発生させた交流電圧を互いに逆位相に昇圧する。正相変圧器及び逆相変圧器の各二次巻線の各高圧側端子間に放電灯を接続して点灯させ、放電灯に流れる電流を検出し、検出した電流に基づき、駆動回路が放電灯に流す電流を一定に制御する。
【００２５】
変圧器の一次巻線が、放電灯の任意の１対における一方の放電灯の正相変圧器及び他方の放電灯の逆相変圧器の各二次巻線の低圧側端子間に、両端子が接続され、その中点が接地電位側に接続され、二次巻線は、一方の端子が接地電位側に接続されている。
放電灯の他の１又は複数の対では、一方の放電灯の逆相変圧器の二次巻線の低圧側端子に、第１抵抗の一方の端子が接続され、他方の放電灯の正相変圧器の二次巻線の低圧側端子に、第２抵抗の一方の端子が接続され、接地電位側に第３抵抗の一方の端子が接続され、第１抵抗、第２抵抗及び第３抵抗の各他方の端子は接続されている。変圧器の二次巻線に流れる電流に基づき、放電灯に流れる電流を検出し、１又は複数の駆動回路に与える。
【発明の効果】
【００２６】
第１，２発明に係る放電灯点灯装置によれば、電流検出用回路に流れる電流への浮遊容量成分の影響を低減することができるので、放電灯及びその支持構造物間の浮遊容量の影響を受け難く、管電流を正確に検出できる放電灯点灯装置を実現することができる。また、フィードバックにより管電流を一定に制御できるので、バックライトに使用された場合は、液晶表示装置に輝度ムラが生じ難い。
【００２７】
第３，４発明に係る放電灯点灯装置によれば、電流検出用回路に流れる電流への浮遊容量成分の影響を低減することができるので、複数の放電灯を備え、放電灯及びその支持構造物間の浮遊容量の影響を受け難く、管電流を正確に検出できる放電灯点灯装置を実現することができる。また、フィードバックにより管電流を一定に制御できるので、バックライトに使用された場合は、液晶表示装置に輝度ムラが生じ難い。
【発明を実施するための最良の形態】
【００２８】
以下に、本発明をその実施の形態を示す図面に基づき説明する。
（発明の経緯）
図１４は、前述した図１７に示す冷陰極管点灯装置の正相高圧トランスＴＸ３の二次巻線に接続された抵抗Ｒ６５、及び逆相高圧トランスＴＸ４の二次巻線の接地に代えて、正相高圧トランスＴＸ３の二次巻線及び逆相高圧トランスＴＸ４の二次巻線の各低圧側端子間にトランスＴＸ１の一次巻線を接続した等価回路を示す回路図である。
【００２９】
図１５は、図１４のトランスＴＸ１の二次巻線の両端に接続された抵抗Ｒ１９に流れる電流の波形を示す波形図であり、実線Ａは、浮遊容量が安定している平衡状態の場合の電流波形であり、１点鎖線Ｂは、意図的にコンデンサＣ２２，Ｃ２１，Ｃ２０（浮遊容量の一部）を存在しないものとして、平衡状態を崩した場合の抵抗Ｒ１９に流れる電流波形である。両者には殆ど差が無く、抵抗Ｒ１９に流れる電流は、浮遊容量の影響を受け難いことが分かる。
【００３０】
つまり、コンデンサＣ２２，Ｃ２１，Ｃ２０（浮遊容量の一部）を存在しないものとして、平衡状態を崩した場合の不平衡電流は、コンデンサＣ２，Ｃ３とコンデンサ（浮遊容量）Ｃ１０〜Ｃ２２との平衡状態で定まる電位と、正相高圧トランスＴＸ３及び逆相高圧トランスＴＸ４の接地電位との電位差により生じていることが分かる。
また、図１４に示すように構成すると、冷陰極管（Ｕ字管）１の管電流が、正相高圧トランスＴＸ３の二次巻線から抵抗Ｒ１〜Ｒ１４を通じて、トランスＴＸ４の二次巻線に流れるループが形成されており、接地電位との関係は小さい。しかし、実際問題として、トランスＴＸ１の一次側を接地電位から浮かせることは、安全上容認できないので、以下のように構成した。
【００３１】
（実施の形態１）
図１は、本発明に係る放電灯点灯装置の実施の形態１である冷陰極管点灯装置の要部構成を示す回路図である。
この冷陰極管点灯装置は、インバータを含む駆動制御回路（駆動回路）１０が、３０ｋ〜８０ｋＨｚ程度の高周波電圧を発生させ、冷陰極管１に流れる管電流が所定値になるようにフィードバック制御する。駆動制御回路１０が発生させた高周波電圧は、正相高圧トランス（正相変圧器）ＴＸ３及び逆相高圧トランス（逆相変圧器）ＴＸ４に与えられる。正相高圧トランスＴＸ３及び逆相高圧トランスＴＸ４は、与えられた高周波電圧をそれぞれ互いに逆位相に昇圧する。
【００３２】
正相高圧トランスＴＸ３及び逆相高圧トランスＴＸ４の二次巻線の低圧側端子それぞれには、抵抗Ｒ５６及び抵抗Ｒ５７の一方の端子がそれぞれ接続されている。抵抗Ｒ５８の一方の端子が接地され、抵抗Ｒ５６，Ｒ５７，Ｒ５８の各他方の端子は共通接続されている。正相高圧トランスＴＸ３の二次巻線の高圧側端子には、一方の端子が接地されたコンデンサＣ２の他方の端子が接続されている。逆相高圧トランスＴＸ４の二次巻線の高圧側端子には、一方の端子が接地されたコンデンサＣ３の他方の端子が接続されている。
冷陰極管１が、正相高圧トランスＴＸ３及び逆相高圧トランスＴＸ４の各二次巻線の各高圧側端子間に接続されている。尚、ここでは、冷陰極管１は、液晶表示装置で多用されるＵ字管とする。
【００３３】
差動増幅器２０の両入力端子に抵抗Ｒ５６，Ｒ５７の両端電圧が与えられ、差動増幅器２０は、与えられた両端電圧に応じた電圧を出力し、整流回路３０に与える。整流回路３０は、与えられた電圧を整流して、冷陰極管１に流れる電流値として検出し、その電流値を駆動制御回路１０にフィードバックさせる。駆動制御回路１０は、与えられた電流値に基づき、冷陰極管１に流す電流が所定値になるようにフィードバック制御する。
【００３４】
差動増幅器２０は、抵抗５６の一方の端子電位が、コンデンサＣ７２を通じて、ＮＰＮ型トランジスタＱ９のベースに与えられる。抵抗５７の一方の端子電位が、コンデンサＣ７３を通じて、ＮＰＮ型トランジスタＱ１０のベースに与えられる。トランジスタＱ９のコレクタは、抵抗Ｒ７２を通じて電源Ｖ６に接続され、エミッタは、抵抗Ｒ７４を通じて、負端子が接地された定電流源Ｉ１の正端子に接続されている。トランジスタＱ１０のコレクタは、抵抗Ｒ７３を通じて電源Ｖ６に接続され、エミッタは、抵抗Ｒ７５を通じて、定電流源Ｉ１の正端子に接続されている。
【００３５】
トランジスタＱ９のベースには抵抗Ｒ７８の一方の端子が接続され、抵抗Ｒ７８の他方の端子には、電源Ｖ６及び接地端子間に接続された抵抗Ｒ７６，Ｒ７７による分圧が与えられている。トランジスタＱ１０のベースには抵抗Ｒ７９の一方の端子が接続され、抵抗Ｒ７９の他方の端子には、電源Ｖ６及び接地端子間に接続された抵抗Ｒ７６，Ｒ７７による分圧が与えられている。
トランジスタＱ９のコレクタは、コンデンサＣ７１及び抵抗Ｒ７０を通じて接地されており、抵抗Ｒ７０には、アノードが接地されたダイオードＤ２が並列接続されている。
【００３６】
トランジスタＱ１０のコレクタは、コンデンサＣ７０及び抵抗Ｒ７１を通じて接地されており、抵抗Ｒ７１には、アノードが接地されたダイオードＤ１が並列接続されている。ダイオードＤ１のカソードには、ダイオードＤ３のアノードが接続され、ダイオードＤ２のカソードには、ダイオードＤ４のアノードが接続され、ダイオードＤ３，Ｄ４の各カソードは共通接続されている。これにより、整流回路３０は、差動増幅器２０の出力を全波整流して駆動制御回路１０へ管電流をフィードバックする。
【００３７】
図２は、図１の冷陰極管点灯装置を示す回路図において、冷陰極管（Ｕ字管）１を抵抗Ｒ１〜Ｒ１４及び容量（コンデンサ）Ｃ１０〜Ｃ２２で等価回路表示し、差動増幅器２０及び整流回路３０をブロックで表示したブロック図である。冷陰極管１の等価回路は、上述した図１４，１７の冷陰極管１の等価回路と同様であるので、説明を省略する。
【００３８】
このような構成の冷陰極管点灯装置では、管電流が、正相高圧トランスＴＸ３の二次巻線の高圧側端子、冷陰極管１、逆相高圧トランスＴＸ４の二次巻線の高圧側端子、同低圧側端子、抵抗Ｒ５７，Ｒ５６、及び正相高圧トランスＴＸ３の二次巻線の低圧側端子で形成されるループを流れる。抵抗Ｒ５６，Ｒ５７の両端電圧を差動増幅器２０で取出す際に、差動増幅器２０の後述する動作により、また、浮遊容量及び接地端子間に流れる電流が、抵抗Ｒ５８により打消されることにより、トランスＴＸ３からトランスＴＸ４に戻る管電流のみを取出すことができる。
【００３９】
図３，４は、図１，２に示す差動増幅器２０の動作を示す波形図である。
図１，２の冷陰極管点灯装置が、冷陰極管１の浮遊容量が安定している平衡状態であるとき、図３（ｃ）に示すように、トランジスタＱ９，Ｑ１０のベース電圧は、互いに逆位相で振幅が等しい。従って、トランジスタＱ９，Ｑ１０のエミッタ電流は互いに逆位相で振幅が等しくなることから、図３（ｂ）に示すように、定電流源Ｉ１には電圧変動が発生しない。故に、トランジスタＱ９，Ｑ１０への入力は、定電流源Ｉ１の電圧変動分は加わらず、各ベースへの電圧のみであり、その差が増幅され、例えば、抵抗Ｒ７０の両端電圧は、図３（ａ）に示すようになる。
【００４０】
図１，２の冷陰極管点灯装置を不平衡状態にしたとき（例えば、図２のコンデンサＣ２２，Ｃ２１，Ｃ２０（浮遊容量の一部）を存在しないものとしたとき）、図４（ｃ）に示すように、トランジスタＱ９，Ｑ１０のベース電圧は互いに異なり、図４（ｂ）に示すように、その差分が定電流源Ｉ１の電圧変動として現れる。トランジスタＱ９への真の入力は、ベースへの電圧（図４（ｃ）破線）と定電流源Ｉ１の電圧（図４（ｂ））との電圧差となるので、その分振幅が小さくなる。一方、トランジスタＱ１０への真の入力は、ベースへの電圧（図４（ｃ）実線）と定電流源Ｉ１の電圧（図４（ｂ））との電圧差となるが、互いに逆位相となるので、振幅は大きくなる。
【００４１】
従って、トランジスタＱ９，Ｑ１０への真の入力差は、共通成分が取除かれ、結果として、抵抗Ｒ７０の両端電圧は、図４（ａ）に示すように、冷陰極管点灯装置が平衡状態であったとき（コンデンサＣ２２，Ｃ２１，Ｃ２０が存在しているとき）の抵抗Ｒ７０の両端電圧（図３（ａ））と等しくなる。尚、ここでは、共通成分とは、浮遊容量の変動によって、浮遊容量及び接地端子間に流れる電流が変動し、抵抗Ｒ５８及び接地端子間に流れる電流が変動することにより発生する電圧の変動成分である。
このように、浮遊容量の変動による電流分は、差動増幅器２０の２つの入力の共通成分として取除かれるので、抵抗Ｒ７０の両端電圧には影響せず、これは、抵抗Ｒ７１の両端電圧についても同様である。
【００４２】
図５は、図１に示す差動増幅器２０の負荷となる抵抗Ｒ７１の両端電圧の波形を示す波形図であり、実線Ａは、平衡状態のときの電流波形であり、１点鎖線Ｂは、意図的に図２におけるコンデンサＣ２２，Ｃ２１，Ｃ２０（浮遊容量の一部）を存在しないものとして、平衡状態を崩した場合の電流波形である。上述した図１５の波形図と同様であり、抵抗Ｒ５６，Ｒ５７に流れる冷陰極管１の管電流は、浮遊容量の影響を受け難いことが分かる。
【００４３】
（実施の形態２）
図６は、本発明に係る放電灯点灯装置の実施の形態２である冷陰極管点灯装置の要部構成を示すブロック図である。
この冷陰極管点灯装置は、図１に示す冷陰極管点灯装置の抵抗Ｒ５６，Ｒ５７，Ｒ５８及び差動増幅器２０等の代わりに、差動トランスＴＸ２を取付けたものである。
【００４４】
正相高圧トランスＴＸ３の二次巻線、及び逆相高圧トランスＴＸ４の二次巻線の各低圧側端子間に、抵抗Ｒ５６，Ｒ５７に代えて、差動トランスＴＸ２の一次巻線を接続し、一次巻線の中点は接地してある。
差動トランスＴＸ２の二次巻線の一方の端子は接地してあり、二次巻線の他方の端子は、整流回路３１に接続されている。差動トランスＴＸ２の二次巻線には抵抗Ｒ１９が並列接続され、二次巻線に生じた電圧は、整流回路３１で整流されて駆動制御回路１０に与えられる。その他の構成は、実施の形態１で説明した冷陰極管点灯装置（図１）と同様であるので、説明を省略する。
【００４５】
図７は、図６の冷陰極管点灯装置を示すブロック図において、冷陰極管（Ｕ字管）１を抵抗Ｒ１〜Ｒ１４及び容量（コンデンサ）Ｃ１０〜Ｃ２２で等価回路表示した等価回路図であり、また、図１４に示すトランスＴＸ１の代わりに、差動トランスＴＸ２を接続した場合を示す回路図である。冷陰極管１の等価回路は、上述した図１４，１７のＵ字管１の等価回路と同様であるので、説明を省略する。
【００４６】
このような構成の冷陰極管点灯装置では、電流が、正相高圧トランスＴＸ３の二次巻線の高圧側端子→冷陰極管１→逆相高圧トランスＴＸ４の二次巻線の高圧側端子→同低圧側端子→差動トランスＴＸ２の一次巻線→正相高圧トランスＴＸ３の二次巻線の低圧側端子のように流れるループが形成されている。その際、浮遊容量及び接地端子間に流れる電流は、差動トランスＴＸ２の一次巻線の中点及び二次巻線と接地端子との間に流れる電流により打消し合うので、正相高圧トランスＴＸ３から逆相高圧トランスＴＸ４に戻る電流のみに関連する電圧を、差動トランスＴＸ２の二次巻線から取出すことができる。
【００４７】
図１４に示すトランスＴＸ１では、一次側を接地電位から浮かせていたが、図７の差動トランスＴＸ２では、一次巻線の中点を接地してあるので、安全上問題はない。また、抵抗Ｒ１９に流れる電流の波形は、図１５に示す波形図と同様であり、浮遊容量の影響を受け難いので、冷陰極管１の管電流を正確に検出することができる。
【００４８】
（実施の形態３）
図８は、本発明に係る放電灯点灯装置の実施の形態３である冷陰極管点灯装置の要部構成を示すブロック図である。
この冷陰極管点灯装置は、冷陰極管（Ｕ字管）１，２，３を備えており、冷陰極管１の正相高圧トランスＴＸ３及び逆相高圧トランスＴＸ４は、駆動制御回路１０から互いに逆位相の高周波電圧を与えられる。冷陰極管２の正相高圧トランスＴＸ５及び逆相高圧トランスＴＸ６は、駆動制御回路１１から互いに逆位相の高周波電圧を与えられ、冷陰極管３の正相高圧トランスＴＸ７及び逆相高圧トランスＴＸ８は、駆動制御回路１２から互いに逆位相の高周波電圧を与えられる。
【００４９】
冷陰極管１は、正相高圧トランスＴＸ３及び逆相高圧トランスＴＸ４の各二次巻線の高圧側端子間に接続されている。逆相高圧トランスＴＸ４の低圧側端子には抵抗Ｒ５６の一方の端子が接続され、その他方の端子には、抵抗Ｒ５７の一方の端子に接続されている。抵抗Ｒ５７の他方の端子は、正相高圧トランスＴＸ５の二次巻線の低圧側端子に接続されている。抵抗Ｒ５６，Ｒ５７の接続点は、抵抗Ｒ５８を通じて接地されている。
正相高圧トランスＴＸ３の二次巻線の高圧側端子には、一方の端子が接地されたコンデンサＣ２の他方の端子が接続されている。逆相高圧トランスＴＸ４の二次巻線の高圧側端子には、一方の端子が接地されたコンデンサＣ３の他方の端子が接続されている。
【００５０】
冷陰極管２は、正相高圧トランスＴＸ５及び逆相高圧トランスＴＸ６の各二次巻線の高圧側端子間に接続されている。逆相高圧トランスＴＸ６の低圧側端子には抵抗Ｒ５９の一方の端子が接続され、その他方の端子には、抵抗Ｒ６０の一方の端子に接続されている。抵抗Ｒ６０の他方の端子は、正相高圧トランスＴＸ７の二次巻線の低圧側端子に接続されている。抵抗Ｒ５９，Ｒ６０の接続点は、抵抗Ｒ６１を通じて接地されている。
正相高圧トランスＴＸ５の二次巻線の高圧側端子には、一方の端子が接地されたコンデンサＣ４の他方の端子が接続されている。逆相高圧トランスＴＸ６の二次巻線の高圧側端子には、一方の端子が接地されたコンデンサＣ５の他方の端子が接続されている。
【００５１】
冷陰極管３は、正相高圧トランスＴＸ７及び逆相高圧トランスＴＸ８の各二次巻線の高圧側端子間に接続されている。逆相高圧トランスＴＸ８の低圧側端子には抵抗Ｒ６２の一方の端子が接続され、その他方の端子には、抵抗Ｒ６３の一方の端子に接続されている。抵抗Ｒ６３の他方の端子は、正相高圧トランスＴＸ３の二次巻線の低圧側端子に接続されている。抵抗Ｒ６２，Ｒ６３の接続点は、抵抗Ｒ６４を通じて接地されている。
【００５２】
正相高圧トランスＴＸ７の二次巻線の高圧側端子には、一方の端子が接地されたコンデンサＣ６の他方の端子が接続されている。逆相高圧トランスＴＸ８の二次巻線の高圧側端子には、一方の端子が接地されたコンデンサＣ７の他方の端子が接続されている。
差動増幅器２０の両入力端子には、接続された抵抗Ｒ５６，Ｒ５７の両端電圧が与えられ、差動増幅器２０の出力は整流回路３０に与えられる。整流回路３０が整流した出力は、各駆動制御回路１０，１１，１２に与えられる。
【００５３】
上述した構成により、この冷陰極管点灯装置では、冷陰極管１は、正相高圧トランスＴＸ３及び逆相高圧トランスＴＸ４が互いに逆位相で昇圧した電圧により点灯する。冷陰極管２は、正相高圧トランスＴＸ５及び逆相高圧トランスＴＸ６が互いに逆位相で昇圧した電圧により点灯する。冷陰極管３は、正相高圧トランスＴＸ７及び逆相高圧トランスＴＸ８が互いに逆位相で昇圧した電圧により点灯する。
【００５４】
差動増幅器２０が、抵抗Ｒ５６，Ｒ５７の両端電圧を増幅して整流回路３０に与える。整流回路３０は、与えられた電圧を整流して、冷陰極管１の管電流の検出値として、各駆動制御回路１０，１１，１２に与える。各駆動制御回路１０，１１，１２は、与えられた検出値に基づき、冷陰極管１の管電流が所定値になるように、出力する高周波電圧をフィードバック制御する。
【００５５】
この冷陰極管点灯装置では、電流が、正相高圧トランスＴＸ３→冷陰極管１→逆相高圧トランスＴＸ４→抵抗Ｒ５６，Ｒ５７→正相高圧トランスＴＸ５→冷陰極管２→逆相高圧トランスＴＸ６→抵抗Ｒ５９，Ｒ６０→正相高圧トランスＴＸ７→冷陰極管３→逆相高圧トランスＴＸ８→抵抗Ｒ６２，Ｒ６３→正相高圧トランスＴＸ３と流れるループが形成される。
【００５６】
従って、抵抗Ｒ５６，Ｒ５７の両端電圧を差動増幅器２０で検出して、冷陰極管１の管電流を検出することにより、それと等しい他の冷陰極管２，３の管電流を検出することができる。故に、検出した管電流値を冷陰極管１，２，３のそれぞれの駆動制御回路１０，１１，１２に与えることにより、冷陰極管１，２，３の各管電流が所定値になるようにフィードバック制御することができる。尚、抵抗Ｒ５６，Ｒ５７に代えて、抵抗Ｒ５９，Ｒ６０又は抵抗Ｒ６２，Ｒ６３の両端電圧を差動増幅器２０で検出するように構成しても、同様のことが可能である。
【００５７】
図９は、図８の冷陰極管点灯装置を示すブロック図において、冷陰極管（Ｕ字管）１，２，３を抵抗及び容量で等価回路表示した等価回路図であり、差動増幅器２０及び整流回路３０は図示を省略してある。
ここでは、冷陰極管１を抵抗Ｒ１〜Ｒ１４及び容量（コンデンサ）Ｃ１０〜Ｃ２２で、冷陰極管２を抵抗Ｒ２１〜Ｒ３４及び容量（コンデンサ）Ｃ３０〜Ｃ４２で、冷陰極管３を抵抗Ｒ４１〜Ｒ５４及び容量（コンデンサ）Ｃ５０〜Ｃ６２で、それぞれ等価回路表示してある。
冷陰極管１の容量（コンデンサ）Ｃ１０〜Ｃ２２、冷陰極管２の容量（コンデンサ）Ｃ３０〜Ｃ４２、及び冷陰極管３の容量（コンデンサ）Ｃ５０〜Ｃ６２は、それぞれの冷陰極管１，２，３及びその支持構造物（図示せず）間の浮遊容量を模式的に示したものである。
【００５８】
冷陰極管１では、管電流は、正相高圧トランスＴＸ３の二次巻線の高圧側端子から抵抗Ｒ１〜Ｒ１４を通じて、逆相高圧トランスＴＸ４の二次巻線の高圧側端子、同低圧側端子に流れ、抵抗Ｒ５６，Ｒ５７を通じて、冷陰極管２の正相高圧トランスＴＸ５の二次巻線の低圧側端子に流れる。
冷陰極管２では、管電流は、正相高圧トランスＴＸ５の二次巻線の高圧側端子から抵抗Ｒ２１〜Ｒ３４を通じて、逆相高圧トランスＴＸ６の二次巻線の高圧側端子、同低圧側端子に流れ、抵抗Ｒ５９，Ｒ６０を通じて、冷陰極管３の正相高圧トランスＴＸ７の二次巻線の低圧側端子に流れる。
【００５９】
冷陰極管３では、管電流は、正相高圧トランスＴＸ７の二次巻線の高圧側端子から抵抗Ｒ４１〜Ｒ５４を通じて、逆相高圧トランスＴＸ８の二次巻線の高圧側端子、同低圧側端子に流れ、抵抗Ｒ６２，Ｒ６３を通じて、冷陰極管１の正相高圧トランスＴＸ３の二次巻線の低圧側端子に流れ、同高圧側端子から冷陰極管１へ流れる。
以上により、冷陰極管１，２，３に流れる管電流のループが形成される。この際、冷陰極管１，２，３において、浮遊容量及び接地端子間に流れる電流は、抵抗Ｒ５８，Ｒ６１，Ｒ６４及び接地端子間に流れる電流により打消され、また、管電流を差動増幅器２０で検出しているので、浮遊容量による管電流への影響は生じ難い。
【００６０】
尚、上述した構成では、駆動制御回路１０，１１，１２の電圧が異なる場合でも、管電流のループが形成されるので、管電流のばらつきは平均化され、冷陰極管１，２，３の管電流は等しくなる。
上述したような構成により、複数の冷陰極管（Ｕ字管）を使用する場合でも、管電流の検出用回路は１系統で良いので、部品コストを下げることが可能である。
尚、上述した構成では、構成駆動制御回路１０，１１，１２を使用しているが、１つの駆動制御回路で代用させて、正相高圧トランスＴＸ３，ＴＸ５，ＴＸ７及び逆相高圧トランスＴＸ４，ＴＸ６，ＴＸ８をそれぞれ並列に接続しても良い。
【００６１】
また、Ｕ字管に限らず、例えば、液晶パネルユニットの上下エッジ各２灯の直管を使用する場合でも、直列接続にすることで、上、下の４本の直管をループ化できるので、各直管の電流は等しくなる。また、Ｕ字管の場合と同様に、浮遊容量による管電流への影響を低減できる。
例えば、図８に示す３つの駆動制御回路１０，１１，１２の内の２つの駆動制御回路１０，１１を備える冷陰極管点灯装置を構成する場合、図１０に示すように、液晶パネルユニット３５の上部エッジ用に、正相高圧トランスＴＸ３の二次巻線及び逆相高圧トランスＴＸ４の二次巻線の各高圧側端子間に、直管型の冷陰極管１−１，１−２を直列接続する。また、液晶パネルユニット３５の下部エッジ用に、正相高圧トランスＴＸ５の二次巻線及び逆相高圧トランスＴＸ６の二次巻線の各高圧側端子間に、直管型の冷陰極管２−１，２−２を直列接続する。
【００６２】
このように接続することにより、この冷陰極管点灯装置では、電流が、正相高圧トランスＴＸ３→冷陰極管１−１→冷陰極管１−２→逆相高圧トランスＴＸ４→抵抗Ｒ５６，Ｒ５７→正相高圧トランスＴＸ５→冷陰極管２−１→冷陰極管２−２→逆相高圧トランスＴＸ６→抵抗Ｒ６２，Ｒ６３→正相高圧トランスＴＸ３と流れるループが形成される。
従って、抵抗Ｒ５６，Ｒ５７又は抵抗Ｒ６２，Ｒ６３の両端電圧を差動増幅器２０で検出して、ループに流れる電流を検出することにより、冷陰極管１−１，１−２，２−１，２−２の管電流を検出することができる。また、検出した管電流値を駆動制御回路１０，１１に与えることにより、冷陰極管１−１，１−２，２−１，２−２の各管電流が所定値になるようにフィードバック制御することができる。
【００６３】
また、同じく２つの駆動制御回路１０，１１を備える冷陰極管点灯装置を構成する場合、図１１に示すように、液晶パネルユニット３５の上部エッジ用に、直管型の冷陰極管１−１，１−２を、液晶パネルユニット３５の下部エッジ用に、直管型の冷陰極管２−１，２−２を備える。この配置で、正相高圧トランスＴＸ３の二次巻線及び逆相高圧トランスＴＸ４の二次巻線の各高圧側端子間に、冷陰極管１−１，２−２を直列接続し、正相高圧トランスＴＸ５の二次巻線及び逆相高圧トランスＴＸ６の二次巻線の各高圧側端子間に、冷陰極管１−２，２−１を直列接続する。
【００６４】
このように接続することにより、この冷陰極管点灯装置では、電流が、正相高圧トランスＴＸ３→冷陰極管１−１→冷陰極管２−２→逆相高圧トランスＴＸ４→抵抗Ｒ５６，Ｒ５７→正相高圧トランスＴＸ５→冷陰極管１−２→冷陰極管２−１→逆相高圧トランスＴＸ６→抵抗Ｒ６２，Ｒ６３→正相高圧トランスＴＸ３と流れるループが形成される。
従って、抵抗Ｒ５６，Ｒ５７又は抵抗Ｒ６２，Ｒ６３の両端電圧を差動増幅器２０で検出して、ループに流れる電流を検出することにより、冷陰極管１−１，１−２，２−１，２−２の管電流を検出することができる。また、検出した管電流値を駆動制御回路１０，１１に与えることにより、冷陰極管１−１，１−２，２−１，２−２の各管電流が所定値になるようにフィードバック制御することができる。
【００６５】
また、同じく２つの駆動制御回路１０，１１を備える冷陰極管点灯装置を構成する場合、図１２に示すように、液晶パネルユニット３５の上部エッジ用に、直管型の冷陰極管１−１，１−２を、液晶パネルユニット３５の下部エッジ用に、直管型の冷陰極管２−１，２−２を備える。この配置で、正相高圧トランスＴＸ３の二次巻線及び逆相高圧トランスＴＸ４の二次巻線の各高圧側端子間に、冷陰極管１−１，２−２を直列接続し、正相高圧トランスＴＸ５の二次巻線及び逆相高圧トランスＴＸ６の二次巻線の各高圧側端子間に、冷陰極管２−１，１−２を直列接続する。
【００６６】
このように接続することにより、この冷陰極管点灯装置では、電流が、正相高圧トランスＴＸ３→冷陰極管１−１→冷陰極管２−２→逆相高圧トランスＴＸ４→抵抗Ｒ５６，Ｒ５７→正相高圧トランスＴＸ５→冷陰極管２−１→冷陰極管１−２→逆相高圧トランスＴＸ６→抵抗Ｒ６２，Ｒ６３→正相高圧トランスＴＸ３と流れるループが形成される。
従って、抵抗Ｒ５６，Ｒ５７又は抵抗Ｒ６２，Ｒ６３の両端電圧を差動増幅器２０で検出して、ループに流れる電流を検出することにより、冷陰極管１−１，１−２，２−１，２−２の管電流を検出することができる。また、検出した管電流値を駆動制御回路１０，１１に与えることにより、冷陰極管１−１，１−２，２−１，２−２の各管電流が所定値になるようにフィードバック制御することができる。
【００６７】
（実施の形態４）
図１３は、本発明に係る放電灯点灯装置の実施の形態４である冷陰極管点灯装置の要部構成を示すブロック図である。
この冷陰極管点灯装置は、図８に示す冷陰極管点灯装置の抵抗Ｒ５６，Ｒ５７，Ｒ５８、差動増幅器２０及び整流回路３０等に代えて、逆相高圧トランスＴＸ４の二次巻線及び正相高圧トランスＴＸ５の二次巻線の各低圧側端子間に、差動トランスＴＸ２の一次巻線を接続し、その二次巻線の一方の端子を接地してある。差動トランスＴＸ２の一次巻線の中点は接地してある。差動トランスＴＸ２の二次巻線の他方の端子は、整流回路３１に接続され、二次巻線に生じた電圧は、整流されて駆動制御回路１０，１１，１２に与えられる。その他の構成は、実施の形態３で説明した冷陰極管点灯装置（図８）と同様であるので、説明を省略する。
【００６８】
上述したような構成により、この冷陰極管点灯装置では、電流が、正相高圧トランスＴＸ３→冷陰極管１→逆相高圧トランスＴＸ４→差動トランスＴＸ２の一次巻線→正相高圧トランスＴＸ５→冷陰極管２→逆相高圧トランスＴＸ６→抵抗Ｒ５９，Ｒ６０→正相高圧トランスＴＸ７→冷陰極管３→逆相高圧トランスＴＸ８→抵抗Ｒ６２，Ｒ６３→正相高圧トランスＴＸ３と流れるループが形成される。この際、冷陰極管１，２，３において、浮遊容量及び接地端子間に流れる電流は、差動トランスＴＸ２の一次巻線の中点、二次巻線、抵抗Ｒ６１，Ｒ６４と接地端子との間に流れる電流により打消されたので、浮遊容量による管電流への影響は生じ難い。
【００６９】
よって、差動トランスＴＸ２の二次巻線に生じる電圧を検出して、冷陰極管１，２，３の何れか１つの管電流を検出することにより、それと等しい他の冷陰極管１，２，３の管電流を検出することができる。故に、検出した管電流値を冷陰極管１，２，３のそれぞれの駆動制御回路１０，１１，１２に与えることにより、冷陰極管１，２，３の各管電流が所定値になるようにフィードバック制御することができる。
尚、上述した構成では、構成駆動制御回路１０，１１，１２を使用しているが、１つの駆動制御回路で代用させて、正相高圧トランスＴＸ３，ＴＸ５，ＴＸ７及び逆相高圧トランスＴＸ４，ＴＸ６，ＴＸ８をそれぞれ並列に接続しても良い。
【図面の簡単な説明】
【００７０】
【図１】本発明に係る放電灯点灯装置の実施の形態１である冷陰極管点灯装置の要部構成を示す回路図である。
【図２】図１の冷陰極管点灯装置を示す回路図において、冷陰極管を抵抗及び容量（コンデンサ）で等価回路表示したブロック図である。
【図３】図１，２に示す差動増幅器の動作を示す波形図である。
【図４】図１，２に示す差動増幅器の動作を示す波形図である。
【図５】図１に示す差動増幅器の負荷となる抵抗Ｒ７１の両端電圧の波形を示す波形図である。
【図６】本発明に係る放電灯点灯装置の実施の形態２である冷陰極管点灯装置の要部構成を示すブロック図である。
【図７】図６の冷陰極管点灯装置を示すブロック図において、冷陰極管を抵抗及び容量（コンデンサ）で等価回路表示した回路図である。
【図８】本発明に係る放電灯点灯装置の実施の形態３である冷陰極管点灯装置の要部構成を示すブロック図である。
【図９】図８の冷陰極管点灯装置を示すブロック図において、冷陰極管を抵抗及び容量で等価回路表示した回路図である。
【図１０】本発明に係る放電灯点灯装置において複数の直管型の冷陰極管を点灯させる場合の接続例を示すブロック図である。
【図１１】本発明に係る放電灯点灯装置において複数の直管型の冷陰極管を点灯させる場合の接続例を示すブロック図である。
【図１２】本発明に係る放電灯点灯装置において複数の直管型の冷陰極管を点灯させる場合の接続例を示すブロック図である。
【図１３】本発明に係る放電灯点灯装置の実施の形態４である冷陰極管点灯装置の要部構成を示すブロック図である。
【図１４】図１７に示す正相高圧トランスの二次巻線及び逆相高圧トランスの二次巻線の各低圧側端子間にトランスの一次巻線を接続した回路図である。
【図１５】図１４に示すトランスの二次巻線の両端に接続された抵抗に流れる電流の波形を示す波形図である。
【図１６】従来の放電灯点灯装置の一例である他励式冷陰極管点灯装置の構成例を示すブロック図である。
【図１７】図１６に示す冷陰極管点灯装置の冷陰極管を抵抗及び容量（コンデンサ）で例示した等価回路を示す回路図である。
【図１８】図１７の等価回路における抵抗Ｒ６５に流れる電流の波形を示す波形図である。
【符号の説明】
【００７１】
１，２，３  冷陰極管（Ｕ字管、放電灯）
１−１，１−２，２−１，２−２  冷陰極管（直管、放電灯）
１０，１１，１２  駆動制御回路（駆動回路）
２０  差動増幅器
３０，３１  整流回路
３５  液晶パネルユニット
Ｒ１９，Ｒ５６〜Ｒ６４  抵抗
ＴＸ２  差動トランス（変圧器）
ＴＸ３，ＴＸ５，ＴＸ７  正相高圧トランス（正相変圧器）
ＴＸ４，ＴＸ６，ＴＸ８  逆相高圧トランス（逆相変圧器）
【図１】
0004858993.tif 000002
【図２】
0004858993.tif 000003
【図３】
0004858993.tif 000004
【図４】
0004858993.tif 000005
【図５】
0004858993.tif 000006
【図６】
0004858993.tif 000007
【図７】
0004858993.tif 000008
【図８】
0004858993.tif 000009
【図９】
0004858993.tif 000010
【図１０】
0004858993.tif 000011
【図１１】
0004858993.tif 000012
【図１２】
0004858993.tif 000013
【図１３】
0004858993.tif 000014
【図１４】
0004858993.tif 000015
【図１５】
0004858993.tif 000016
【図１６】
0004858993.tif 000017
【図１７】
0004858993.tif 000018
【図１８】
0004858993.tif 000019